【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】
入力する画像情報を符号化する符号化装置において、
上記画像情報に対して所定の符号化処理を施す符号化手段と、
上記符号化手段が上記画像情報に対して上記符号化処理を施す際に当該符号化処理の処理状況に応じて順次更新しながら用いる所定の状態量を表す状態量情報を記憶する第１の記憶手段と
を具え、
上記符号化手段は、
上記第１の記憶手段に記憶された上記状態量情報のうちの必要な一部のみを当該第１の記憶手段から読み出し、当該状態量情報を上記画像情報に対する上記符号化処理の上記処理状況に応じて変更した後、上記第１の記憶手段に書き戻す
ことを特徴とする符号化装置。
【請求項２】
入力する上記画像情報を記憶する第２の記憶手段と、
上記符号化手段に設けられ、上記第１の記憶手段から読み出した上記状態量情報を一時記憶する第１の一時記憶手段と、
上記符号化手段に設けられ、上記第２の記憶手段から読み出した上記画像情報を一時記憶する第２の一時記憶手段と
を具え、
上記符号化手段は、
上記第２の記憶手段から上記画像情報の一部を読み出して上記第２の一時記憶手段に一時記憶させると共に、これと同期して当該画像情報に対して上記符号化処理を施す際に必要な上記状態量情報の一部を上記第１の記憶手段から読み出して上記第１の一時記憶手段に一時記憶させ、当該状態量情報を、上記第２の一時記憶手段に一時記憶させた上記画像情報に対する上記符号化処理の上記処理状況に応じて変更した後、上記第１の記憶手段に書き戻す
ことを特徴とする請求項１に記載の符号化装置。
【請求項３】
上記符号化手段は、
上記画像情報に対して順番に施すべき複数種類の上記符号化処理にそれぞれ対応させて設けられた複数の符号化処理手段を具え、
上記画像情報に対する上記複数種類の符号化処理を、それぞれ対応する上記符号化処理手段により、それぞれ先行する上記符号化処理と当該符号化処理の内容に応じた所定の第１の位相差をもって並行して行う
ことを特徴とする請求項１に記載の符号化装置。
【請求項４】
上記符号化手段及び上記第１の記憶手段は、一体に集積回路化され、
当該集積回路化された上記符号化手段及び上記第１の記憶手段の外部に設けられた外部記憶手段を具え、
上記符号化手段及び上記第１の記憶手段と共に一体に上記集積回路化された信号処理部から出力された上記画像情報を上記外部記憶手段に記憶させ、必要な上記画像情報のみを当該外部記憶手段から順次読み出して、上記符号化手段により上記符号化処理する
ことを特徴とする請求項１に記載の符号化装置。
【請求項５】
入力する画像情報を符号化する符号化方法において、
上記画像情報に対して所定の符号化処理を施す際に当該符号化処理の処理状況に応じて順次更新しながら用いる所定の状態量を表す状態量情報を第１の記憶手段に記憶させる第１のステップと、
上記画像情報に対して上記符号化処理を施す第２のステップと
を具え、
上記第２のステップでは、
上記第１の記憶手段に記憶させた上記状態量情報のうちの必要な一部のみを当該第１の記憶手段から読み出し、当該状態量情報を上記画像情報に対する上記符号化処理の上記処理状況に応じて変更した後、上記第１の記憶手段に書き戻す
ことを特徴とする符号化方法。
【請求項６】
入力する符号化された画像情報でなる符号化画像情報を復号化する復号化装置において、
上記符号化画像情報に対して所定の復号化処理を施す復号化手段と、
上記復号化手段が上記符号化画像情報に対して上記復号化処理を施す際に当該復号化処理の処理状況に応じて順次更新しながら用いる所定の状態量を表す状態量情報を記憶する第１の記憶手段と
を具え、
上記復号化手段は、
上記第１の記憶手段に記憶された上記状態量情報のうちの必要な一部のみを当該第１の記憶手段から読み出し、当該状態量情報を上記符号化画像情報に対する上記復号化処理の上記処理状況に応じて変更した後、上記第１の記憶手段に書き戻す
ことを特徴とする復号化装置。
【請求項７】
復号化された上記画像情報を記憶する第２の記憶手段を具え、
上記復号化手段は、
上記第１の記憶手段から読み出した上記状態量情報を一時記憶する第１の一時記憶手段と、
復号化した上記画像情報を一時記憶する第２の一時記憶手段と
を有し、
上記符号化画像情報に対して上記復号化処理を施す際に必要な上記状態量情報の一部を上記第１の記憶手段から読み出して上記第１の一時記憶手段に一時記憶させ、当該状態量情報を、上記符号化画像情報に対する上記復号化処理の上記処理状況に応じて変更した後、上記第１の記憶手段に書き戻すと共に、当該復号化処理により復号化された上記第２の一時記憶手段に記憶された上記画像情報を、上記状態量情報の上記第１の記憶手段への書き戻しと同期して上記第２の記憶手段に書き込む
ことを特徴とする請求項６に記載の復号化装置。
【請求項８】
入力する符号化された画像情報でなる符号化画像情報を復号化する復号化方法において、
上記符号化画像情報に対して上記復号化処理を施す際に当該復号化処理の処理状況に応じて順次更新しながら用いる所定の状態量を表す状態量情報を記憶する第１のステップと、
上記符号化画像情報に対して所定の復号化処理を施す第２のステップと
を具え、
上記第２のステップでは、
上記第１の記憶手段に記憶させた上記状態量情報のうちの必要な一部のみを当該第１の記憶手段から読み出し、当該状態量情報を上記符号化画像情報に対する上記復号化処理の上記処理状況に応じて変更した後、上記第１の記憶手段に書き戻す
ことを特徴とする復号化方法。
【請求項９】
画像情報を符号化する符号化装置と、当該符号化された上記画像情報を復号化する復号化装置とを有する画像情報処理システムにおいて、
上記符号化装置は、
上記画像情報に対して所定の符号化処理を施す符号化手段と、
上記符号化手段が上記画像情報に対して上記符号化処理を施す際に当該符号化処理の処理状況に応じて順次更新しながら用いる所定の状態量を表す状態量情報を記憶する第１の記憶手段と
を具え、上記符号化手段は、上記第１の記憶手段に記憶された上記状態量情報のうちの必要な一部のみを当該第１の記憶手段から読み出し、当該状態量情報を上記画像情報に対する上記符号化処理の上記処理状況に応じて変更した後、上記第１の記憶手段に書き戻し、
上記復号化装置は、
上記符号化画像情報に対して所定の復号化処理を施す復号化手段と、
上記復号化手段が上記符号化画像情報に対して上記復号化処理を施す際に当該復号化処理の処理状況に応じて順次更新しながら用いる所定の状態量を表す状態量情報を記憶する第１の記憶手段と
を具え、上記復号化手段は、上記第１の記憶手段に記憶された上記状態量情報のうちの必要な一部のみを当該第１の記憶手段から読み出し、当該状態量情報を上記符号化画像情報に対する上記復号化処理の上記処理状況に応じて変更した後、上記第１の記憶手段に書き戻す
ことを特徴とする画像情報処理システム。
【請求項１０】
画像情報を符号化する符号化ステップと、当該符号化された上記画像情報を復号化する復号化ステップとを有する画像情報処理方法において、
上記符号化ステップは、
上記画像情報に対して所定の符号化処理を施す際に当該符号化処理の処理状況に応じて順次更新しながら用いる所定の状態量を表す状態量情報を第１の記憶手段に記憶させる第１のステップと、
上記画像情報に対して上記符号化処理を施す第２のステップと
を具え、上記第２のステップでは、上記第１の記憶手段に記憶させた上記状態量情報のうちの必要な一部のみを当該第１の記憶手段から読み出し、当該状態量情報を上記画像情報に対する上記符号化処理の上記処理状況に応じて変更した後、上記第１の記憶手段に書き戻し、
上記復号化ステップは、
上記符号化画像情報に対して上記復号化処理を施す際に当該復号化処理の処理状況に応じて順次更新しながら用いる所定の状態量を表す状態量情報を記憶する第１のステップと、
上記符号化画像情報に対して所定の復号化処理を施す第２のステップと
を具え、上記第２のステップでは、上記第１の記憶手段に記憶させた上記状態量情報のうちの必要な一部のみを当該第１の記憶手段から読み出し、当該状態量情報を上記符号化画像情報に対する上記復号化処理の上記処理状況に応じて変更した後、上記第１の記憶手段に書き戻す
ことを特徴とする画像情報処理方法。